(57)【特許請求の範囲】
【請求項１】
ヒータを内装して実（さね）継ぎ接合される床暖房パネルの側縁面の各々にはヒータと導通接続されたコネクタのそれぞれを各別に収納する凹部が設けられており、一方側の凹部内に収納された一方側のコネクタは進退可能に支持され、かつ、他方側の凹部内に収納された他方側のコネクタは固定支持されてなる床暖房パネルのコネクタ構造であって、
一方側の凹部の内底面と対面する一方側のコネクタの内端部には、床暖房パネル同士の実継ぎ接合と共に実行されるコネクタ同士の連結に伴って後退動作する一方側のコネクタを支持しながら収縮する左右一対の弾性部材が取り付けられていることを特徴とする床暖房パネルのコネクタ構造。
【請求項２】
ヒータを内装して実継ぎ接合される床暖房パネルの側縁面の各々にはヒータと導通接続されたコネクタのそれぞれを各別に収納する凹部が設けられており、一方側の凹部内に収納された一方側のコネクタは進退可能に支持され、かつ、他方側の凹部内に収納された他方側のコネクタは固定支持されてなる床暖房パネルのコネクタ構造であって、
一方側のコネクタの内端部と対面する一方側の凹部の内底面には、床暖房パネル同士の実継ぎ接合と共に実行されるコネクタ同士の連結に伴って後退動作する一方側のコネクタを支持しながら収縮する左右一対の弾性部材が取り付けられていることを特徴とする床暖房パネルのコネクタ構造。
【発明の詳細な説明】
【０００１】
【発明の属する技術分野】
本発明は、床暖房パネルのコネクタ構造に関する。
【０００２】
【従来の技術】
従来から、室内暖房を実現するのに好適な床暖房パネルのうちには、ヒータを内装してなる複数枚が互いに実継ぎ接合されることによって床面を構成する構造とされたものがあり、図４で示すように、平面視矩形状を有する床暖房パネル１１の長手方向に沿う側縁面１１ａ，１１ｂのそれぞれには、互いに嵌合しあう凹形状の実（さね）１２と凸形状の実１３とが形成されている。そして、これら側縁面１１ａ，１１ｂの各々に対しては、ヒータ（図示省略）と導通接続された雌雄一対のコネクタ、つまり、その一方側である雌型コネクタ１４とその他方側である雄型コネクタ１５とのそれぞれを各別に収納する凹部１６，１７が設けられており、一方側の凹部１６内に収納された雌型コネクタ１４は進退可能として支持される一方、他方側の凹部１７内に収納された雄型コネクタ１５は固定支持されている。
【０００３】
【発明が解決しようとする課題】
ところで、床暖房パネル１１における雌型コネクタ１４及び雄型コネクタ１５は、互いに連結されることによって床暖房パネル１１ごとに内装されたヒータ同士を導通接続したうえで所望の暖房面積を確保するためのものであり、雌型コネクタ１４は、これを凹部１６内から外部へと引き出したうえで雄型コネクタ１５との確実な連結を実行し得るよう進退可能な状態として支持されている。しかしながら、床面構成作業に際しては、雌型コネクタ１４を外部にまで引き出さないままで床暖房パネル１１同士を実継ぎ接合することが行われる場合もあり、このような作業が行われた場合には、実継ぎ接合に伴って雄型コネクタ１５と連結されるべき雌型コネクタ１４が凹部１６内へと後退動作して押し込まれる結果、雌型コネクタ１４と雄型コネクタ１５との確実な連結が実行されないことになる。
【０００４】
そして、雌型コネクタ１４及び雄型コネクタ１５同士の確実な連結が実行されておらず、これらの両者間に隙間が生じている場合には、雌型コネクタ１４及び雄型コネクタ１５の各々に対して防水処理が施されているにも拘わらず、両者間の隙間から湿気や水分が侵入し得ることとなるため、床暖房パネル１１を実継ぎ接合してなる床面の十分な防水効果が得られないことになってしまう。なお、このような不都合を防止するうえからは、床暖房パネル１１同士の実継ぎ接合と共に実行される雌型コネクタ１４及び雄型コネクタ１５の連結に伴う雌型コネクタ１４の後退動作を規制することが考えられるが、迂闊な規制策を講じたのでは、床面を構成しやすくするための公差が予め与えられている床暖房パネル１１同士の実継ぎ接合が困難となるため、雌型コネクタ１４の後退動作を規制することは不可能なのが現状である。
【０００５】
本発明は、以上のような不都合に鑑みて創案されたものであって、雌雄一対のコネクタ同士を確実に連結することが可能であり、連結されたコネクタ同士間に隙間を生じることがない床暖房パネルのコネクタ構造を提供するものである。
【０００６】
【課題を解決するための手段】
本発明の請求項１にかかる床暖房パネルのコネクタ構造は、ヒータを内装して実継ぎ接合される床暖房パネルの側縁面の各々にはヒータと導通接続されたコネクタのそれぞれを各別に収納する凹部が設けられており、一方側の凹部内に収納された一方側のコネクタは進退可能に支持され、かつ、他方側の凹部内に収納された他方側のコネクタは固定支持されてなるものであって、一方側の凹部の内底面と対面する一方側のコネクタの内端部には、床暖房パネル同士の実継ぎ接合と共に実行されるコネクタ同士の連結に伴って後退動作する一方側のコネクタを支持しながら収縮する左右一対の弾性部材が取り付けられていることを特徴としている。
【０００７】
また、本発明の請求項２にかかる床暖房パネルのコネクタ構造は、進退可能として支持された一方側のコネクタの内端部ではなく、一方側のコネクタの内端部と対面する一方側の凹部の内底面に対して弾性部材、つまり、床暖房パネル同士の実継ぎ接合と共に実行されるコネクタ同士の連結に伴って後退動作する一方側のコネクタを支持しながら収縮する左右一対の弾性部材が取り付けられていることを特徴とするものである。
【０００８】
【発明の実施の形態】
以下、本発明の実施の形態を図面に基づいて説明する。
【０００９】
図１は本実施の形態にかかる床暖房パネルの一部を破断して示す平面図、図２及び図３の各々はコネクタ構造を拡大して示す平面図であり、図２はコネクタの分解状態を、また、図３はコネクタの連結状態をそれぞれ示している。なお、図中の符号１は床暖房パネルであり、本実施の形態にかかる床暖房パネル１の全体構造は従来の形態にかかる床暖房パネル１１と基本的に異ならないので、図１ないし図３のそれぞれにおいて図４と互いに同一もしくは相当する部品、部分には同一符号を付し、ここでの詳しい説明は省略する。
【００１０】
本実施の形態にかかる床暖房パネル１は、図１で示すように、ヒータ（図示省略）を内装してなる複数枚が互いに実継ぎ接合されることによって床面を構成するものであり、平面視矩形状とされた床暖房パネル１の長手方向に沿う側縁面１ａ，１ｂの各々、つまり、凹形状及び凸形状の実１２，１３が形成された側縁面１ａ，１ｂの各々に対しては、ヒータと導通接続された雌雄一対のコネクタ、つまり、その一方側である雌型コネクタ１４とその他方側である雄型コネクタ１５とが配置されている。そして、これら雌型コネクタ１４及び雄型コネクタ１５のそれぞれは、図２で示すように、床暖房パネル１における側縁面１ａ，１ｂの所要位置ごとに設けられた所定深さの凹部１６，１７内に各別として収納されており、一方側の凹部１６内に収納された雌型コネクタ１４は進退可能として支持される一方、他方側の凹部１７内に収納された雄型コネクタ１５は固定支持されている。なお、この際における凹部１６，１７が床暖房パネル１の側縁面１ａ，１ｂ側にのみ開口したものである必然性はなく、図示省略しているが、床暖房パネル１の裏面側にも開口したものであっても何ら差し支えはない。
【００１１】
さらに、一方側の凹部１６内に進退可能な状態として収納された雌型コネクタ１４の内端部、つまり、凹部１６の内底面と対面する雌型コネクタ１４の内端部には、プラスチック発泡体やゴム、あるいは、ゴム発泡体を用いて作製された略直方体形状などの弾性部材２が位置決めしたうえで取り付けられている。なお、この際における弾性部材２の有する形状が略直方体に限られず、また、その素材がプラスチック発泡体などに限定されることはないのであり、例えば、スプリングとして周知の圧縮コイルバネや板バネなどであってもよいことは勿論である。
【００１２】
そして、雌型コネクタ１４の内端部に弾性部材２を取り付けておいた際には、床暖房パネル１同士の実継ぎ接合と共に実行される雌型及び雄型コネクタ１４，１５同士の連結に伴って雌型コネクタ１４が後退動作するにも拘わらず、雌型コネクタ１４の内端部と凹部１６の内底面との間に介在する弾性部材２自らが収縮しながら雌型コネクタ１４をその内端部側からバックアップ的に支持し、この雌型コネクタ１４が凹部１６内へと押し込まれることを阻止する機能を発揮するため、図３で示すように、雌型コネクタ１４と雄型コネクタ１５との確実な連結が行われることとなる。なお、ここでは、進退可能に支持された一方側のコネクタが雌型コネクタ１４であり、固定支持された他方側のコネクタが雄型コネクタ１５であるとしているが、雄型コネクタ１５が進退可能に支持された一方側のコネクタであり、雌型コネクタ１４が固定支持された他方側のコネクタであってもよい。
【００１３】
ところで、本実施の形態にかかる床暖房パネル１では、一方側の凹部１６内に進退可能として支持された一方側のコネクタである雌型コネクタ１４の内端部に対して弾性部材２を取り付けるとしているが、このような構成に限られることはないのであり、図示省略しているが、雌型コネクタ１４の内端部でなく、この雌型コネクタ１４の内端部と対面する一方側の凹部１６の内底面に対して弾性部材２を取り付けておいてもよい。そして、このような構成を採用した際には、凹部１６の内底面に取り付けられた弾性部材２が、床暖房パネル１同士の実継ぎ接合と共に実行される雌型及び雄型コネクタ１４，１５同士の連結に伴って後退動作する雌型コネクタ１４を支持しながら収縮するため、上記したのと同じく、雌型コネクタ１４と雄型コネクタ１５とが確実に連結されることになる。
【００１４】
【発明の効果】
以上説明したように、本発明にかかる床暖房パネルのコネクタ構造では、一方側の凹部内に進退可能として収納された一方側のコネクタの内端部、もしくは、一方側のコネクタの内端部と対面する凹部の内底面に対し、床暖房パネル同士の実継ぎ接合と共に実行されるコネクタ同士の連結に伴って後退動作する一方側のコネクタを支持しながら収縮する弾性部材を取り付けている。そこで、床暖房パネル同士の実継ぎ接合と共に実行されるコネクタ同士の連結に伴って一方側のコネクタが後退動作するにも拘わらず、このコネクタの内端部と凹部の内底面との間に介在する弾性部材が収縮しながらコネクタをその内端部側から支持しているため、雌雄一対のコネクタ同士の確実な連結が行われる。その結果、連結されたコネクタ同士間に隙間を生じることは起こらず、床暖房パネルを実継ぎ接合してなる床面の十分な防水効果が得られるという効果が得られる。
【図面の簡単な説明】
【図１】本実施の形態にかかる床暖房パネルの一部を破断して示す平面図である。
【図２】コネクタ構造を拡大して示す平面図であり、コネクタの分解状態を例示している。
【図３】コネクタ構造を拡大して示す平面図であり、コネクタの連結状態を例示している。
【図４】従来の形態にかかる床暖房パネルの一部を破断して示す平面図である。
【符号の説明】
１    床暖房パネル
１ａ  床暖房パネルの側縁面
１ｂ  床暖房パネルの側縁面
２    弾性部材
１４    雌型コネクタ（一方側のコネクタ）
１５    雄型コネクタ（他方側のコネクタ）
１６    一方側の凹部
１７    他方側の凹部
【図１】
0003838300.tif 000002
【図２】
0003838300.tif 000003
【図３】
0003838300.tif 000004
【図４】
0003838300.tif 000005